【手続補正書】
【提出日】平成15年12月5日(2003.12.5)
【手続補正１】
【補正対象書類名】明細書
【補正対象項目名】特許請求の範囲
【補正方法】変更
【補正の内容】
【特許請求の範囲】
【請求項１】
検索情報を入力する検索情報入力手段と、
前記検索情報入力手段で入力された検索情報と、手書き情報と該手書き情報に関する情報を該手書き情報の検索キーとして関連付けて格納した格納手段に格納された該検索キーとに基づいて、前記入力された検索情報に対応する手書き情報を検索する検索手段と、
前記検索手段で検索された手書き情報を出力する出力手段と
を備えることを特徴とする情報処理装置。
【請求項２】
前記手書き情報は手書き入力されたストロークに基づいて生成される情報で、ストロークの入力が一定時間無い場合にそれまでに入力されたストロークをまとめた情報であることを特徴とする請求項１記載の情報処理装置。
【請求項３】
前記検索キーは、前記手書き情報の作成日時、座標位置、データ量、表示面積、線の太さ、線の色、面の色、記入速度の内の少なくとも一つであることを特徴とする請求項１記載の情報処理装置。
【請求項４】
前記検索情報入力手段は、手書き情報と手書き情報の作成日時とを前記検索情報として入力することを特徴とする請求項１記載の情報処理装置。
【請求項５】
前記検索情報入力手段は、手書き情報と、該手書き情報の座標位置、データ量、表示面積、線の太さ、線の色、面の色、記入速度の中から選択された少なくとも一つとを前記検索情報として入力することを特徴とする請求項１記載の情報処理装置。
【請求項６】
検索情報を入力する検索情報入力工程と、
前記検索情報入力工程で入力された検索情報と、手書き情報と該手書き情報に関する情報を該手書き情報の検索キーとして関連付けて格納した格納手段に格納された該検索キーとに基づいて、前記入力された検索情報に対応する手書き情報を検索する検索工程と、
前記検索工程で検索された手書き情報を出力する出力工程と
を備えることを特徴とする情報処理方法。
【請求項７】
前記手書き情報は、手書き入力されたストロークに基づいて生成される情報であって、ストロークの入力が一定時間無い場合にそれまでに入力されたストロークをまとめた情報であることを特徴とする請求項６記載の情報処理方法。
【請求項８】
前記検索キーは、前記手書き情報の作成日時、座標位置、データ量、表示面積、線の太さ、線の色、面の色、記入速度の内の少なくとも一つであることを特徴とする請求項６記載の情報処理方法。
【請求項９】
前記検索情報入力工程では、手書き情報と、手書き情報の作成日時とを前記検索情報として入力することを特徴とする請求項６記載の情報処理方法。
【請求項１０】
前記検索情報入力工程では、手書き情報と、該手書き情報の座標位置、データ量、表示面積、線の太さ、線の色、面の色、記入速度の中から選択された少なくとも一つとを前記検索情報として入力することを特徴とする請求項６記載の情報処理方法。
【手続補正２】
【補正対象書類名】明細書
【補正対象項目名】０００５
【補正方法】変更
【補正の内容】
【０００５】
【課題を解決するための手段】
請求項１記載の発明は、検索情報を入力する検索情報入力手段と、前記検索情報入力手段で入力された検索情報と、手書き情報と該手書き情報に関する情報を該手書き情報の検索キーとして関連付けて格納した格納手段に格納された該検索キーとに基づいて、前記入力された検索情報に対応する手書き情報を検索する検索手段と、前記検索手段で検索された手書き情報を出力する出力手段とを備えることを特徴とする。


【手続補正３】
【補正対象書類名】明細書
【補正対象項目名】０００６
【補正方法】変更
【補正の内容】
【０００６】
請求項２記載の発明は、請求項１記載の情報処理装置において、前記手書き情報は手書き入力されたストロークに基づいて生成される情報で、ストロークの入力が一定時間無い場合にそれまでに入力されたストロークをまとめた情報であることを特徴とする。


【手続補正４】
【補正対象書類名】明細書
【補正対象項目名】０００７
【補正方法】変更
【補正の内容】
【０００７】
請求項３記載の発明は、請求項１記載の情報処理装置において、前記検索キーは、前記手書き情報の作成日時、座標位置、データ量、表示面積、線の太さ、線の色、面の色、記入速度の内の少なくとも一つであることを特徴とする。


【手続補正５】
【補正対象書類名】明細書
【補正対象項目名】０００８
【補正方法】変更
【補正の内容】
【０００８】
請求項４記載の発明は、請求項１記載の情報処理装置において、前記検索情報入力手段は、手書き情報と手書き情報の作成日時とを前記検索情報として入力することを特徴とする。


【手続補正６】
【補正対象書類名】明細書
【補正対象項目名】０００９
【補正方法】変更
【補正の内容】
【０００９】
請求項５記載の発明は、請求項１記載の情報処理装置において、前記検索情報入力手段は、手書き情報と、該手書き情報の座標位置、データ量、表示面積、線の太さ、線の色、面の色、記入速度の中から選択された少なくとも一つとを前記検索情報として入力することを特徴とする。


【手続補正７】
【補正対象書類名】明細書
【補正対象項目名】００１０
【補正方法】変更
【補正の内容】
【００１０】
請求項６記載の発明は、検索情報を入力する検索情報入力工程と、前記検索情報入力工程で入力された検索情報と、手書き情報と該手書き情報に関する情報を該手書き情報の検索キーとして関連付けて格納した格納手段に格納された該検索キーとに基づいて、前記入力された検索情報に対応する手書き情報を検索する検索工程と、前記検索工程で検索された手書き情報を出力する出力工程とを備えることを特徴とする。


【手続補正８】
【補正対象書類名】明細書
【補正対象項目名】００１１
【補正方法】変更
【補正の内容】
【００１１】
請求項７記載の発明は、請求項６記載の情報処理方法において、前記手書き情報は、手書き入力されたストロークに基づいて生成される情報であって、ストロークの入力が一定時間無い場合にそれまでに入力されたストロークをまとめた情報であることを特徴とする。


【手続補正９】
【補正対象書類名】明細書
【補正対象項目名】００１２
【補正方法】変更
【補正の内容】
【００１２】
請求項８記載の発明は、請求項６記載の情報処理方法において、前記検索キーは、前記手書き情報の作成日時、座標位置、データ量、表示面積、線の太さ、線の色、面の色、記入速度の内の少なくとも一つであることを特徴とする。


【手続補正１０】
【補正対象書類名】明細書
【補正対象項目名】００１３
【補正方法】変更
【補正の内容】
【００１３】
請求項９記載の発明は、請求項６記載の情報処理方法において、前記検索情報入力工程では、手書き情報と、手書き情報の作成日時とを前記検索情報として入力することを特徴とする。


【手続補正１１】
【補正対象書類名】明細書
【補正対象項目名】００１４
【補正方法】変更
【補正の内容】
【００１４】
請求項１０記載の発明は、請求項６記載の情報処理方法において、前記検索情報入力工程では、手書き情報と、該手書き情報の座標位置、データ量、表示面積、線の太さ、線の色、面の色、記入速度の中から選択された少なくとも一つとを前記検索情報として入力することを特徴とする。


【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００５２
【補正方法】変更
【補正の内容】
【００５２】
【発明の効果】
以上に説明したように、本発明の情報処理装置によれば、検索キーに対する断片的な記憶をもとに得られた検索情報を用いて目的とするデータを捜し出す場合でも、効率良く検索を行うことができる。


【手続補正１９】
【補正対象書類名】明細書
【補正対象項目名】００５３
【補正方法】変更
【補正の内容】
【００５３】
また、本発明の情報処理装置によれば、検索キーとして、手書き情報の座標位置、データ量、表示面積、線の太さ、線の色、面の色、記入速度の内の少なくとも一つを選択して検索情報として入力することで、検索可能範囲を広げることが可能である。


【手続補正２０】
【補正対象書類名】明細書
【補正対象項目名】００５４
【補正方法】変更
【補正の内容】
【００５４】
また、本発明の情報処理方法によれば、検索キーに対する断片的な記憶をもとに得られた検索情報を用いて目的とするデータを捜し出す場合でも、効率良く検索を行うことができる。


【手続補正２１】
【補正対象書類名】明細書
【補正対象項目名】００５５
【補正方法】変更
【補正の内容】
【００５５】
また、本発明の情報処理方法によれば、検索キーとして、手書き情報の座標位置、データ量、表示面積、線の太さ、線の色、面の色、記入速度の内の少なくとも一つを選択して検索情報として入力することで、検索可能範囲を広げることが可能である。